(57)【要約】【課題】紙おむつに吸収限界量を超えた尿が排泄されると、紙おむつで吸収しきれなかった尿が外部へ漏れ出る。【解決手段】高吸水性を有する立体的な吸収体２の底部３及び外周部４を非透水性シート５で包み込んだ尿取り具１を紙おむつ着用者の股間に装着することによって、排泄された尿を尿取り具１に集中的に吸収させ、尿取り具１で吸収しきれない尿を紙おむつに吸収させて、紙おむつから外部に尿を漏出させない。【選択図】　　　　図１
2004065833.tif 000002
【特許請求の範囲】
【請求項１】
おむつの内側の着用者の股間に装着するものであって、高吸水性を有する立体的な吸収体の底部及び外周部を非透水性シートで包み込んだことを特徴とする尿取り具。
【請求項２】
高吸水性を有する帯状の吸収体形成部を円筒状に巻いて吸収体と成したことを特徴とする請求項１記載の尿取り具。
【請求項３】
高通水・即乾性を有するトップシートに、高吸水性を有するインナーシートを積層し、トップシートにインナーシートを内包する様に折り畳んで吸収体形成部と成したことを特徴とする請求項２記載の尿取り具。
【請求項４】
高吸水性を有する帯状の吸収体形成部の下辺に非透水性シートを連続形成し、非透水性シートを吸収体形成部と共に円筒状に巻き、非透水性シートと吸収体形成部の境界部より下方に捩じり部を形成すると共に、該捩じり部より下方の非透水性シートを裏返して吸収体形成部の底部及び外周部を非透水性シートで包み込んだことを特徴とする尿取り具。
【発明の詳細な説明】
【０００１】
【発明の属する技術分野】
本発明は、高齢者、病人等の要介護者のおむつの内側に装着して失禁の際の尿を吸収する尿取り具に関する。
【０００２】
【従来の技術】
従来、おむつは幼児用が主流であったが、社会の高齢化に伴って、１人で日常生活が困難な高齢者等の要介護者用の使い捨て紙おむつの需要が増加している。
そして、紙おむつは、パンツタイプ、パッドタイプ等種々のものが見受けられるが、いずれも非透水性のバックシートと透水性のトップシート間に高吸水性樹脂等を内包したものである。
【０００３】
【発明が解決しようとする課題】
ところが、上記従来の紙おむつは、就寝時等、長時間着用した状態で、吸収限界量を越える多量の尿が排泄されると、紙おむつの高吸水性樹脂で吸収しきれなかった尿が紙おむつの背中側、脚の付け根側から漏れ出してしまう欠点があった。
【０００４】
【課題を解決するための手段】
本発明は、上記従来技術に基づく、紙おむつだけでは吸収限界量を超えた排泄尿に対応できない課題に鑑み、高吸水性を有する立体的な吸収体の底部及び外周部を非透水性シートで包み込んだ尿取り具を紙おむつ着用者の股間に装着することによって、排泄された尿を尿取り具に集中的に吸収させ、尿取り具で吸収しきれない尿を紙おむつに吸収させて、紙おむつから外部に尿が漏出しない様にして、上記課題を解決する。
【０００５】
【発明の実施の形態】
以下、本発明の一実施例について説明する。
図１〜３は、本発明に係る尿取り具１を示す図であり、図１は尿取り具１の模式図、図２は展開状態の尿取り具１の平面図、図３は尿取り具１の成形方法を示す図である。
本発明に係る尿取り具１は、円筒状の吸収体２と、該吸収体２の底部３及び外周部４を覆う非透水性シート５で構成し、尿取り具１は、１枚のシート基材６を折り畳んだり巻くなどして形成したものである。
シート基材６は、一端部７側を横長な吸収体形成部８で構成すると共に、他端部９側を吸収体形成部８より縦長の非透水性シート５で構成し、該非透水性シート５は、前記吸収体形成部８の下辺８ａに連続形成している。
吸収体形成部８は、トップシート１０に多数枚のインナーシート１１、１１ａ　…を積層すると共に、トップシート１０、インナーシート１１、１１ａ　…を横長に折り畳み、厚くしている。
そして、吸収体形成部８の左右どちらか一方の端部から巻いて円筒状の吸収体２を成形している。
【０００６】
非透水性シート５は、吸収体形成部８と同様に巻かれ、その状態のまま、吸収体形成部８と非透水性シート５の境界部１２より下方に形成した捩じり部１３で収束させ、該捩じり部１３より下方部位１４を裏返すことで、非透水性シート５で吸収体２の底部３及び外周部４を隙間なく包み込む様に覆うが、吸収体２の上部は露出させている。
【０００７】
吸収体形成部８のトップシート１０は、高通水・即乾性を有するシートであり、綿布等の通常の布地に比して極めて短時間で水を通過させ、それ自体に殆ど水を保持せず、速やかに乾燥する性質のものであり、トップシート１０の素材としては、不織布や疎水性繊維が挙げられる。
【０００８】
吸収体形成部８のインナーシート１１、１１ａ　…の素材としては、親水性繊維（フラッフパルプ）と高吸収性ポリマー、高吸収性シート又はパルプ繊維及び高吸収性樹脂等の、自己の重量に比して極めて大量の水を吸収するものが挙げられる。
【０００９】
非透水性シート５は、尿を通さず、上記の吸収体形成部８の素材より薄い材質のものが用いられ、その素材としては、ポリエチレンフィルム等が用いられいる。
【００１０】
尚、本実施例においては、吸収体２を円筒状に成形した吸収体形成部８で構成しているが、円筒又は円柱状に成形された高吸水性を有する素材で吸収体２を構成しても良く、更に吸収体２の表面を高通水・即乾性を有する素材で被覆しても良い。
上記いずれの場合においても、吸収体２の上部を除く外側面を非透水性の素材で包み込んで、吸収体２からの尿の流出を防止する様にしている。
【００１１】
次に本発明に係る尿取り具の成形方法について説明する。
トップシート１０に数枚のインナーシート１１、１１ａ　…を積層し、吸収体形成部８をなるべく厚くするために、トップシート１０、インナーシート１１、１１ａ　…の略中央部を２つ折りして、横長の吸収体形成部８と成し、吸収体形成部８の略中央部を更に２つ折りする。
そして、図３（ａ）に示す様に、吸収体形成部８をその左端から略３等分した位置で折り返す。
又、図３（ｂ）に示す様に、吸収体形成部８を左端から巻き、円筒状の吸収体２を形成する。
次に、図３（ｃ）に示す様に、非透水性シート５の境界部１２より下方部位１５を吸収体２の下部で数回捩じって、収束させる。
図３（ｄ）に示す様に、非透水性シート５の下端部５ａを吸収体２の上方へ裏返して持ち上げることで、非透水性シート５の下方部位１４で吸収体２の底部３及び外周部４を包み込み、非透水性シート５の下方の隅部１６、１６ａ　同士を結んで、非透水性シート５で吸収体２の底部３及び外周部４を締め付けることで、吸収体２に対し非透水性シート５を固定する。
尚、ゴム製のバンドの様なもので非透水性シート５を締め付けても良い。
【００１２】
次に本発明に係る尿取り具の作用について説明する。
本尿取り具は、主に要介護者の股間に配置するものであり、排泄された尿は、尿取り具１のトップシート１０が高通水・即乾性を有するため、直ちにトップシート１０を通過しインナーシート１１、１１ａ　…に吸収され、トップシート１０は常に殆ど乾いた状態に保たれる。
このため、トップシート１０の表面の肌接触面がほとんど乾いた状態となり、排泄された尿が肌に触れず、快適な使い心地が損なわれない。
【００１３】
一方、トップシート１０を通過した尿は、トップシート１０側に位置するインナーシート１１に吸収され、インナーシート１１に保持されなかった余剰の尿は、インナーシート１１の内側のインナーシート１１ａ　、１１ｂ　…に順次吸収されながら、インナーシート１１、１１ａ　…の下方へ拡散する。
【００１４】
更に、インナーシート１１、１１ａ　…の下方へ拡散した尿は、境界部１２から非透水性シート５に達するが、吸収体形成部８と同様に巻かれた非透水性シート５は、捩じり部１３で１箇所に収束して、非透水性シート５の捩じり部１３より上方部分は、あたかも袋状のものとなって、尿は吸収体２の底面部分に溜まり、捩じり部１３より下方へは漏出しない。
【００１５】
吸収体２の外周部４を非透水性シート５で包み込んだことにより、吸収体２に染み込んだ尿が尿取り具１の外面側に漏出しない。
【００１６】
【発明の効果】
要するに本発明は、高吸水性を有する立体的な吸収体２の底部３及び外周部４を非透水性シート５で包み込んだので、尿取り具１を紙おむつの内側の股間（尿道口付近）に装着して、排泄された尿を尿取り具１に集中的に吸収させ、紙おむつには尿取り具１で吸収しきれない尿を吸収させることによって、失禁回数が多く排泄量が多量になっても、紙おむつ外部への尿の漏出を防止出来るため、介護者の紙おむつの深夜交換の手間を省いて、負担を軽減することが出来、要介護者にあっては、非透水性シート５で吸収体２に吸収された尿が外部と遮断されて、漏出しないため、紙おむつ内が尿でべたつかず、不快感なく安心して睡眠をとることが出来る。
紙おむつと尿取り具１を併用することにより、尿取り具１だけを交換すれば、紙おむつの交換回数を減らすことが出来、紙おむつに比べ尿取り具１は比較的安価なため、紙おむつ等の介護用品の出費を低く抑えることが出来る。
又、比較的尿の排泄量が少なく、尿が尿取り具１のみに吸収されている場合は、尿取り具１だけを交換すれば、要介護者の体を大きく動かす必要がなく、介護者の負担を軽減させることが出来る。
【００１７】
高吸水性を有する吸収体形成部８を円筒状に成形して吸収体２と成したので、吸収体形成部８の横幅を所定長さにすることによって、吸収体２を要介護者の体格、尿排泄量に合った適切な太さにすることを簡単に行うことが出来る。
【００１８】
高通水・即乾性を有するトップシート１０に、高吸水性を有するインナーシート１１、１１ａ　…を積層し、トップシート１０にインナーシート１１、１１ａ　…を内包する様に折り畳んで、吸収体形成部８と成したので、排泄された尿を、直ちにトップシート１０からインナーシート１１、１１ａ　…に浸透移動させ、トップシート１０を殆ど乾いた状態に維持できるため、要介護者の不快感や肌の炎症を防止することが出来る。
【００１９】
高吸水性を有する帯状の吸収体形成部８の下辺８ａに非透水性シート５を連続形成し、非透水性シート５を吸収体形成部８と共に円筒状に巻き、非透水性シート５と吸収体形成部８の境界部１２より下方に捩じり部１３を形成したので、吸収体形成部８に連続形成された非透水性シート５を１箇所に収束させて、簡単に袋状にすることが出来る。
捩じり部１３より下方の非透水性シート５を裏返して吸収体形成部８の底部３及び外周部４を非透水性シート５で包み込んだので、非透水性シート５の下方部位１４で吸収体２にしみ込んだ尿が外部へ漏出しない様にすることが出来る等その実用的効果甚だ大である。
【図面の簡単な説明】
【図１】本発明に係る尿取り具の模式図である。
【図２】本発明に係る尿取り具の展開状態の平面図である。
【図３】本発明に係る尿取り具の成形方法を示す図である。
【符号の説明】
１　　　　　尿取り具
２　　　　　吸収体
３　　　　　底部
４　　　　　外周部
５　　　　　非透水性シート
８　　　　　吸収体形成部
８ａ　　　　　下辺
１０　　　　　トップシート
１１、１１ａ　…　インナーシート
１２　　　　　境界部
１３　　　　　捩じり部
【図１】
2004065833.tif 000003
【図２】
2004065833.tif 000004
【図３】
2004065833.tif 000005